(57)【要約】【課題】ラジオコントロール送信機の筐体に設けられる水平状態から起立状態に回動自在なアンテナを起立させた状態でアンテナ側に転倒したときにアンテナ下部に加わる衝撃を緩和すること。【解決手段】アンテナ２４のベースブラケット２４ｂが、支軸２４ｅを中心に水平状態から９０°回動可能にヘッド部４の外周端部に軸支され、アンテナ２４を起立状態としたときのベースブラケット２４ｂにおける下方端部に対し、カバー２４ｃの一方の端部のみが装着固定されているため、アンテナ２４を起立状態でアンテナ２４側にラジオコントロール送信機１が転倒したとしても、ベースブラケット２４ｂの撓みによって衝撃を緩和してアンテナ２４の基端部分及びヘッド部４の筐体の損傷を回避する。【選択図】図４
2015213659.tif 000002
【特許請求の範囲】
【請求項１】
筐体の外装部分に設けられたアンテナから被操縦体を遠隔操作するための操縦信号を送信するラジオコントロール送信機において、
前記アンテナは、
一方の面に支持部材に支持されたアンテナ素子を有するアンテナ本体が係止され、他方の面の略中央に前記筐体に対して軸支される支軸が設けられ、前記支軸を中心に長手方向の向きを水平状態から起立状態に９０°回動可能な長尺の略矩形板状を成すベースブラケットと、
前記アンテナ本体が装着された前記ベースブラケットの面を覆うカバーとを備え、
前記カバーは、前記ベースブラケットの長手方向における一方の端部近傍でのみ固定されていることを特徴とする。
【請求項２】
前記被操縦体を遠隔操作するときに操縦者が把持するグリップ部と、
前記グリップ部の一端に設けられ、前記被操縦体を制御するための第一の操作部材と第二の操作部材とを有するヘッド部とを備え、
前記アンテナは、前記操縦者が前記グリップ部を把持した状態のときに前記ヘッド部における前記操縦者と対向する側の端部と反対側に位置する端部に軸支されることを特徴とする請求項１記載のラジオコントロール送信機。
【発明の詳細な説明】
【技術分野】
【０００１】
本発明は、操縦者の操作に応じた操縦信号を被操縦体（例えば、各種模型体（自動車、オートバイ、航空機、船舶など）や、クレーンなどの産業機械）に無線送信するラジオコントロール送信機に関するものである。
【背景技術】
【０００２】
従来より、所定の発振周波数による無線信号（例えば２．４ＧＨｚ帯）によって被操縦体（例えば、各種模型体（自動車、オートバイ、航空機、船舶など）や、クレーンなどの産業機械のように無線通信で遠隔操作される機器）を遠隔操作するラジオコントロール送信機（以下、単に「送信機」ともいう）には、操縦する被操縦体に合わせて様々な形状のものが存在する。
【０００３】
送信機の主な形状としては、２本の操作スティックを左右に並設した、所謂「スティックタイプ」と、被操縦体のエンジン又はモーターのスロットルを操作するトリガーと被操縦体のステアリングを制御するホイールとを備えた、所謂「トリガータイプ」とに大別される。
【０００４】
下記特許文献１には、発振周波数として従来から模型用途として利用されていた周波数帯よりも利便性や安全性（耐ノイズ性）に優れた２. ４ＧＨｚ帯を利用するにあたり、ダイポールアンテナの弱点を鑑みて、送信機の筐体における把手の内部にポール状アンテナをそのアンテナ軸が筐体の高さ方向に沿う中心線に対して直交又は任意の角度傾斜させた状態で配置して、操縦時にアンテナ軸が被操縦体の方向に向いてしまうことを回避しつつ、操縦者がアンテナの向きを意識することなく無線による被操縦体の遠隔操縦における信頼性を確保するスティックタイプの送信機について開示されている。
【先行技術文献】
【特許文献】
【０００５】
【特許文献１】特開２００８−２３７５２７号
【発明の概要】
【発明が解決しようとする課題】
【０００６】
ところで、特許文献１に開示されるような送信機では、アンテナを筐体と一体となるように設けることで意匠性を高めつつ、電界強度の弱い領域（所謂、「ヌル点」）が被操縦体に向かないような工夫が成されているが、アンテナが固定式であると操縦者と被操縦体との位置関係や操縦者の操作の仕方によってヌル点が被操縦体に向いた状態で使用されることもあり、安定した操縦ができない虞があった。
【０００７】
そこで、本願発明者は、鋭意研究の結果、通常時は筐体外装部分にアンテナが一体化するようにして意匠性を高めつつ、種々の使用状況に柔軟に対応可能とするため、送信機の筐体外装部分の一部を形成する水平状態から９０°回動可能にアンテナを設け、ヌル点が被操縦体に向かないように考慮された新たなトリガータイプの送信機を開発した。
【０００８】
しかしながら、このような回動自在なアンテナを設けた構成では、図８に示すようにアンテナを水平状態から９０°回転した状態（起立状態）で地面などに置くと、アンテナの下端部に負荷が掛かることになる。その結果、アンテナの支軸部分に応力が集中してアンテナの支軸部分の破損原因となり、さらにはアンテナの支軸部分のみならず、アンテナが取り付けられたヘッド部にも衝撃が伝わり、最悪の場合、ヘッド部が破損して筐体ごと交換しなければならない虞がある。
【０００９】
そこで、本発明は上記問題点に鑑みてなされたものであり、送信機を載置したときに生じる衝撃を緩和することのできる水平状態及び起立状態に回動自在なアンテナを備えたラジオコントロール送信機を提供することを目的とするものである。
【課題を解決するための手段】
【００１０】
上記した目的を達成するため、請求項１記載のラジオコントロール送信機は、筐体の外装部分に設けられたアンテナから被操縦体を遠隔操作するための操縦信号を送信するラジオコントロール送信機において、
前記アンテナは、
一方の面に支持部材に支持されたアンテナ素子を有するアンテナ本体が係止され、他方の面の略中央に前記筐体に対して軸支される支軸が設けられ、前記支軸を中心に長手方向の向きを水平状態から起立状態に９０°回動可能な長尺の略矩形板状を成すベースブラケットと、
前記アンテナ本体が装着された前記ベースブラケットの面を覆うカバーとを備え、
前記カバーは、前記ベースブラケットの長手方向における一方の端部近傍でのみ固定されていることを特徴とする。
【００１１】
請求項２記載のラジオコントロール送信機は、請求項１記載のラジオコントロール送信機において、前記被操縦体を遠隔操作するときに操縦者が把持するグリップ部と、
前記グリップ部の一端に設けられ、前記被操縦体を制御するための第一の操作部材と第二の操作部材とを有するヘッド部とを備え、
前記アンテナは、前記操縦者が前記グリップ部を把持した状態のときに前記ヘッド部における前記操縦者と対向する側の端部と反対側に位置する端部に軸支されることを特徴とする。
【発明の効果】
【００１２】
本発明のラジオコントロール送信機によれば、例えばアンテナを起立させた状態でアンテナが載置面と接触するようにラジオコントロール送信機を載置したときに、アンテナの下端部に負荷が掛かるが、ベースブラケットが支軸を支点として応力が作用する方向に撓み、且つカバーの上方端部がベースブラケットの撓み方向と逆方向に移動するため、アンテナの下端部及び支軸に掛かる衝撃を緩和することができる。そのため、送信機がアンテナ設置側に転倒した際に、アンテナが起立状態であっても衝撃を吸収緩和してアンテナの破損及びアンテナが設けられるヘッド部の破損を回避することができる。
【図面の簡単な説明】
【００１３】
【図１】本発明の要部であるアンテナが採用されるトリガータイプのラジオコントロール送信機の全体構成を示す側面図である。
【図２】同送信機の全体構成を示す斜視図である。
【図３】本発明に係るラジオコントロール送信機のヘッド部とベース部の構成を模式的に示す機能ブロック図である。
【図４】本発明に係るラジオコントロール送信機の要部であるアンテナの概略斜視図である。
【図５】（ａ）は起立状態としたアンテナの通常時の概略側面図であり、（ｂ）は起立状態としたアンテナの上部に負荷が掛かったときの概略側面図である。
【図６】本発明の要部であるアンテナが採用されるスティックタイプのラジオコントロール送信機の全体構成を示す概略斜視図である。
【図７】（ａ）はアンテナの他の形態を示す概略図であり、（ｂ）は図７（ａ）の形態のアンテナを起立状態としたときにアンテナ上端部に負荷が掛かったときの概略側面図である。
【図８】回動式のアンテナを起立状態としたときにアンテナ側から載置したときの状態を示す図である。
【発明を実施するための形態】
【００１４】
以下、本発明を実施するための形態について、添付した図面を参照しながら詳細に説明する。また、この実施の形態によって本発明が限定されるものではなく、この形態に基づいて当業者などにより考え得る実施可能な他の形態、実施例及び運用技術などは全て本発明の範疇に含まれるものとする。
【００１５】
本発明に係るラジオコントロール送信機（以下、送信機という）は、例えば各種模型体（自動車、オートバイ、航空機、船舶など）や、クレーンなどの産業機械を被操縦体とし、予め決められた周波数帯（例えば２．４ＧＨｚ帯）を使用してその周波数帯の中から空きバンドを自動的に選択する周波数ホッピング方式によって送信周波数を決定し、筐体に設けられるトリガーやスティックなどの操作部材の操作に応じた操縦信号（無線電波）を被操縦体に送信することにより被操縦体を遠隔操作するものである。
【００１６】
なお、本例では、送信機によって遠隔操作される被操縦体が模型自動車の場合を例にとって説明する。また、被操縦体の動力源としては、エンジンを用いることを想定して説明するが、モーターを動力源として用いることもできる。
【００１７】
［１. 送信機の構成について］
送信機１は、図１及び図２に示すように、グリップ部２、ベース部３、ヘッド部４を備えて大略構成され、各部の筐体は可撓性を有する熱可塑性樹脂（例えば汎用プラスチック）で成形されている。
【００１８】
＜１−１．グリップ部について＞
グリップ部２は、一端（下端）側がベース部３と一体を成し、他端（上端）側がヘッド部４と一体を成しており、外形がベース部３側からヘッド部４側に向かって細く楕円柱状に形成される。グリップ部２は、被操縦体を遠隔操作するときに操縦者が把持する把持部として機能する。
【００１９】
＜１−２．ベース部について＞
ベース部３は、グリップ部２の一端（下端）側に設けられ、矩形状に形成される。ベース部３は、グリップ部２を把持する手の下限位置を規制して手がグリップ部２から抜け落ちるのを防ぐとともに、送信機１を使用していないときに例えば地面などに立てて置く際の所定の設置面積を底面に有する脚部としても機能する。
【００２０】
また、ベース部３の外周部には、操縦者が両手を使ってホイール２１やトリガー２２を操作している際に操作するためのスイッチ機構１１が設けられている。図２では、このスイッチ機構１１を操縦者がグリップ部２を把持したときの操縦者側の端部に設けた例であり、両手操作中の操縦者が両手の指以外の身体の一部（例えば、胸、腹、肩、股、膝など）や近辺の物（例えば、競技場の手摺りなど）に送信機１を引き寄せてスイッチをオン・オフさせることにより、スイッチ機構１１に割り当てられた機能を働かせることができる。
【００２１】
スイッチ機構１１に割り当てる機能としては、例えばターボ機能のオン・オフ、ミキシング、ジャイロ操作、ラップ計測、急ブレーキ、カメラなど任意であるが、特に操縦者が両手操作中に並行して操作したい機能を割り当てておけば、緊急事態の際に咄嗟の判断でスイッチ機構１１を瞬時に操作でき、スイッチ機構１１に割り当てた機能を即座にオン・オフさせることができる。
【００２２】
＜１−３．ヘッド部について＞
ヘッド部４は、グリップ部２の他端（上端）側に設けられ、第一操作部材としてのホイール２１と、第二操作部材としてのトリガー２２とを備えている。
【００２３】
ホイール２１は、被操縦体の進行方向を制御するためのステアリングとしての操作部材である。ホイール２１は、図１及び図２に示すように、略円板形状の面の中心と軸心を一致させて、略円板状の面と垂直に送信機１のヘッド部４の方向に延在する回転軸によって支持される。ホイール２１は、所定の基準位置から左及び右回りに回動して被操縦体の進行方向を制御するためのステアリングとして操作される。
【００２４】
トリガー２２は、被操縦体の動力源を制御し、被操縦体の移動速度を制御するための操作部材である。トリガー２２は、引き金形状を成し、第一のレバーとしてのスロットルレバー２２ａと、第二のレバーとしてのブレーキレバー２２ｂとから構成される。
【００２５】
トリガー２２は、図１に示すように、グリップ部２の上端部分に近接してヘッド部４の裏側に軸支されており、初期位置からヘッド部４に当接する位置まで図１の矢印Ａ及び矢印Ｂの方向に回動可能に取り付けられる。
【００２６】
トリガー２２は、一般的にグリップ部２を把持した手の人指し指をスロットルレバー２２ａにかけて矢印Ａの方向に引いて操作され、ブレーキレバー２２ｂをスロットルレバー２２ａにかけた指の背で押して矢印Ｂの方向に操作される。
【００２７】
トリガー２２は、スロットルレバー２２ａにかけている指を離すと予め設定している初期位置に自動復帰するようになっている。この初期位置のことをニュートラル位置という。ニュートラル位置では、被操縦体のエンジンは回転しているが、クラッチが切れており、被操縦体は走行しない状態となっている。
【００２８】
なお、被操縦体の動力源がモーターである場合は、ニュートラル位置ではモーターは回転していない。
【００２９】
トリガー２２のスロットルレバー２２ａを図１の矢印Ａの方向に引くことで被操縦体のエンジンのスロットルの制御を行い、被操縦体の移動速度を制御する。トリガー２２のスロットルレバー２２ａを矢印Ａの方向に操作するほど被操縦体は加速する。
【００３０】
また、トリガー２２のブレーキレバー２２ｂを図１の矢印Ｂの方向に操作することでブレーキの制御を行うようにすることができる。そして、トリガー２２のブレーキレバー２２ｂを矢印Ｂの方向に操作するほど強力なブレーキとなる。
【００３１】
なお、送信機１の設定によっては、トリガー２２のブレーキレバー２２ｂを図１の矢印Ｂの方向に操作すると被操縦体を後進させるものもある。また、被操縦体の動力にモーターを用いた場合も、トリガー２２のスロットルレバー２２ａを図１の矢印Ａの方向に操作すると被操縦体を加速させることができる。
【００３２】
さらに、送信機１には、ホイール２１とトリガー２２以外にも多数のボタンなどの操作部材が設けられている。これらの操作部材には、被操縦体の動作に関わる特殊な操作を割り当てることができる。
【００３３】
また、ヘッド部４には、表示部２３とアンテナ２４が設けられている。表示部２３は、操縦者がグリップ部２を把持したときに、操縦者が表示画面を見やすいように所定角度傾斜して設けられる。表示部２３は、送信機１の設定を表示するディスプレイであり、表示部２３の周辺に設けられる操作ボタンやスライドスイッチなどの設定用操作部材２５の操作により、表示の内容の切り替えや、送信機１の設定を変更している。
【００３４】
アンテナ２４は、操縦者がグリップ部２を把持した状態で表示部２３の反対側に位置するヘッド部４の一端部分（すなわち、操縦者がグリップ部２を把持した状態におけるヘッド部４の当該操縦者と対向する側の端部と反対側に位置する端部）に回動自在に軸支されている。アンテナ２４は、被操縦体を遠隔操作するときに、ヘッド部４と一体に外形を形成する水平状態（図２の実線）から９０°回転して水平状態から垂直方向に向いた起立状態（図２の一点鎖線）で使用される。アンテナ２４は、起立状態で使用することにより、被操縦体の遠隔操作時における指向性を高めることができる。
【００３５】
なお、アンテナ２４については、本発明の要部であるため、その構成や作用については追って説明する。
【００３６】
＜１−４．電気的構成について＞
さらに、ヘッド部４には、図３に示すように、上述した表示部２３、送信部２６、記憶部２７、制御部２８を含む電子回路部が内蔵されている。
【００３７】
なお、ベース部３には、電子回路部の各部（表示部２３、送信部２６、記憶部２７、制御部２８）に必要な駆動電力を供給するためのバッテリ２９が交換可能に設けられる。
【００３８】
送信部２６は、制御部２８により生成された送信データを変調・増幅し、この変調・増幅した操縦信号を、制御部２８の制御により、アンテナ２４を介して被操縦体に送信している。
【００３９】
記憶部２７は、設定用操作部材２５の操作に基づく各種設定情報を、制御部２８の制御により記憶している。また、記憶部２７には、送信機１を構成する各部の駆動制御を行うための制御プログラムが記憶されている。
【００４０】
制御部２８は、表示部２３、送信部２６、記憶部２７を統括制御しており、ホイール２１やトリガー２２の操作や設定に応じた送信データの生成、表示部２３の表示制御、送信部２６からアンテナ２４を介しての操縦信号の出力制御、記憶部２７に対する設定情報の保存、記憶部２７に記憶される制御プログラムに基づく送信機１の各部の駆動制御などを行っている。
【００４１】
このように構成される送信機１では、操縦者が一方の手でグリップ部２を把持し、グリップ部２を把持した手の人指し指をトリガー２２にかけてトリガー２２の操作を行い、他方の手でホイール２１を掴んで操作を行う。そして、このトリガー２２とホイール２１の操作に応じた操縦信号を被操縦体に送信して被操縦体を遠隔操作する。
【００４２】
［２．アンテナについて］
＜２−１．構成要部について＞
次に、本発明の要部となるアンテナ２４の構成について図４、図５を参照しながら説明する。図４に示すように、アンテナ２４は、アンテナ本体２４ａと、ベースブラケット２４ｂと、カバー２４ｃで概略構成されている。
【００４３】
アンテナ本体２４ａは、同軸ケーブルの先端を給電点として、一方に向けて１／４波長の内部導線（アンテナ素子２４ａａ）を露出させ、他方に向けて１／４波長の同軸円管（スリーブ２４ａｂ）を外部導体の外側にかぶせて全体で１／２波長としたスリーブアンテナであり、ダイポールアンテナと同様の動作特性を有する。アンテナ本体２４ａは、水平状態及び起立状態の何れの状態でも被操縦体に操縦信号を送信できるが、電波の指向性を高めるため任意の状態に回動される。
【００４４】
ベースブラケット２４ｂは、送信機１の本体と同様の熱可塑性樹脂からなる長尺の略矩形板状を成しており、一方の面（すなわち、ヘッド部４と対向する側の面）の略中央付近にはヘッド部４の端部に軸支する略中空円柱状を成す支軸２４ｅが設けられ、他方の面（すなわち、ヘッド部４と対向する面と反対側の面）には係止片２４ｄによってアンテナ本体２４ａが係止されている。
【００４５】
ベースブラケット２４ｂは、支軸２４ｅを中心に水平状態から９０°回動可能に軸支され、電波の指向性を高めるときは、カバー２４ｃが装着固定された状態で図２の破線で示すようにアンテナ２４を水平状態から９０°回転させることができる。なお、ベースブラケット２４ｂの回動方向としては、アンテナ２４の指向性を高めるため、アンテナ２４を起立状態としたときに係止されるアンテナ本体２４ａのアンテナ素子２４ａａ（内部導線）が上方、スリーブ２４ａｂ（同軸円管）が下方となる方向に回転させるのがよい。
【００４６】
つまり、水平状態のアンテナ２４をカバー２４ｃ側からみたときにアンテナ素子２４ａａが右側に位置する場合、アンテナ２４を水平状態から起立状態にするときは、アンテナ２４を反時計周りに９０°回転すれば、アンテナ２４は起立状態となりアンテナ素子２４ａａが上方に位置する。また、アンテナ２４を起立状態から水平状態に戻すときは、時計回りに９０°回転するようにすればよい。なお、アンテナ２４の回動方向は、起立状態に回転したときにアンテナ素子２４ａａが常に上方に来るようにするため、往復回動となるように規制するのが好ましい。
【００４７】
また、アンテナ２４を起立状態としたときのベースブラケット２４ｂにおける下方端部には、カバー２４ｃを螺子止めするための取付孔２４ｆが設けられており、この取付孔２４ｆを介してベースブラケット２４ｂの支軸２４ｅ側からカバー２４ｃを螺子止めして装着固定する。
【００４８】
さらに、支軸２４ｅには、外部から粉塵が入り込んでアンテナ２４の回動操作に支障を来さないようにする目的と、アンテナ２４を所定方向に回動しきった状態となったときの操作感を得る目的のため、合成樹脂（シリコーンゴムや合成ゴム）などの弾性部材からなるＯリング２４ｇが設けられている。また、ベースブラケット２４ｂの支軸２４ｅの取付位置には、支軸２４ｅの軸線方向に沿って設けられた中空部分となる挿通孔と連通する連通孔が設けられており、アンテナ本体２４ａの同軸ケーブルが支軸２４ｅの挿通孔を介してヘッド部４の電子回路部（送信部２６）と接続されている。
【００４９】
カバー２４ｃは、送信機１の本体と同様の熱可塑性樹脂からなり、ベースブラケット２４ｂの寸法に合わせて成形された断面凹状の箱型を成し、ベースブラケット２４ｂにおけるアンテナ本体２４ａが係止された側の面を覆うための部材である。カバー２４ｃは、ベースブラケット２４ｂの取付孔２４ｆを挿通する螺子が、カバー２４ｃの内底部の所定箇所に設けられた不図示の螺子受けと螺合されることでベースブラケット２４ｂに装着固定される。
【００５０】
＜２−２．作用について＞
上述したように、本発明の要部であるアンテナ２４は、水平状態から９０°回転させ起立状態としたときのベースブラケット２４ｂの下方端部とカバー２４ｃの一方の端部とが１箇所のみで固定されているため、カバー２４ｃの他方の端部（すなわち、アンテナ２４を起立状態としたときにベースブラケット２４ｂの上方端部）は固定されずフリーの状態となる。
【００５１】
従って、通常時は図５（ａ）に示すような起立状態となり、アンテナ２４を起立させた状態でアンテナ２４が載置面と接触するように送信機１を載置した場合、図５（ｂ）に示すようにアンテナ２４の下端部（すなわち、ベースブラケット２４ｂの下方端部）に負荷が掛かる。このとき、ベースブラケット２４ｂが支軸２４ｅを支点として応力が作用する方向に撓むことでアンテナ２４の下端部が図中矢印Ｃ方向に移動し、この移動に伴ってカバー２４ｃの上方端部が図中矢印Ｄ方向（すなわち、カバー２４ｃがベースブラケット２４ｂから外れる方向）に移動するため、アンテナ２４の下端部及び支軸２４ｅに掛かる衝撃を緩和することができる。
【００５２】
また、ベースブラケット２４ｂは熱可塑性樹脂で成形されているため、例えば送信機１を持ち上げたときは、図５（ａ）のように弾性変形した状態から通常の形状に戻り、回動可能となる。
【００５３】
以上説明したように、上述した送信機１に設けられたアンテナ２４のベースブラケット２４ｂが、支軸２４ｅを中心に水平状態から９０°回動可能に軸支され、アンテナ２４を起立状態としたときのベースブラケット２４ｂにおける下方端部にカバー２４ｃの一方の端部が螺子止めによって１箇所のみで装着固定されている。
【００５４】
従って、アンテナ２４を起立させた状態でアンテナ２４が地面と接触するように送信機１を載置したときに、アンテナ２４の下端部に負荷が掛かるがベースブラケット２４ｂが支軸２４ｅを支点として応力が作用する方向に撓むことでカバー２４ｃの上方端部がベースブラケット２４ｂの撓み方向と逆方向に移動することができ、アンテナ２４の下端部及び支軸２４ｅに掛かる衝撃を緩和することができる。
【００５５】
［３．その他の実施形態について］
なお、本発明は上記各実施形態に限定されるものではなく、例えば以下に示すように使用環境などに応じて適宜変更して実施することもできる。また、以下の変更例を本発明の要旨を逸脱しない範囲の中で任意に組み合わせて実施することもできる。
【００５６】
また、上述した形態では、本発明の要部となるアンテナ２４を具備したトリガータイプの送信機１について説明したが、送信機１のタイプとしては、図６に示すようにスティックタイプの送信機１でもよい。この種のスティックタイプの送信機１に採用した場合でも、スティックや表示画面の裏面側を載置面として地面などに載置したときに起立状態となったアンテナ２４の下端部に掛かる負荷を緩和することができる。
【００５７】
また、取付孔２４ｆを介してカバー２４ｃを螺子止めする構成で説明したが、少なくともアンテナ２４を起立状態としたときのベースブラケット２４ｂにおける下方端部でのみカバー２４ｃが固定されていればよいため、ベースブラケット２４ｂとカバー２４ｃとの固定方法はこれに限定されない。
【００５８】
さらに、アンテナ２４を起立状態としたときのベースブラケット２４ｂの下方端部にカバー２４ｃが１箇所のみで固定された構成で説明したが、図７（ａ）に示すようにアンテナ２４を起立状態としたときに、ベースブラケット２４ｂの端縁内側に沿って上方端部から中央の支軸２４ｅの周囲に沿って略Ｕ字状のスリット２４ｈを設けた構成とすることにより、図７（ｂ）に示すようにアンテナ２４を起立状態としたときにアンテナ２４の上端部に図中矢印Ｅ方向の負荷が掛かったとしても、支軸２４ｅを支点としてスリット２４ｈの内側の領域が固定された状態でスリット２４ｈの外側の領域が図中矢印Ｆ方向に撓むため、アンテナ２４の上端部及び支軸２４ｅに掛かる衝撃を緩和することができる。つまり、この構成を採用すると、アンテナ２４を起立状態としたときに、アンテナ２４の上端部又は下端部の何れか一方に掛かった負荷を緩和することができる。
【符号の説明】
【００５９】
１…ラジオコントロール送信機
２…グリップ部
３…ベース部
４…ヘッド部
２４…アンテナ
２４ａ…アンテナ本体（２４ａａ…アンテナ素子、２４ａｂ…スリーブ）
２４ｂ…ベースブラケット
２４ｃ…カバー
２４ｄ…係止片
２４ｅ…支軸
２４ｆ…取付孔
２４ｇ…Ｏリング
２４ｈ…スリット
【図１】
2015213659.tif 000003
【図２】
2015213659.tif 000004
【図３】
2015213659.tif 000005
【図４】
2015213659.tif 000006
【図５】
2015213659.tif 000007
【図６】
2015213659.tif 000008
【図７】
2015213659.tif 000009
【図８】
2015213659.tif 000010